(57)【要約】      （修正有）【課題】リターンローラの取り替えを極めて容易に行うことができるようにしたベルトコンベヤのリターンローラを提供する。【解決手段】ベルトコンベヤにおけるリターン側ベルト１の下側で、ベルトの走行方向に対し直角に横切るように設けたガイドレール３と、このガイドレールをガイドとしてベルトの幅方向にスライドするように設けたスライダ４と、このスライダの両端部から起立させて設けたリターンスタンド８と、この両リターンスタンドの上端に支軸１０の両端を係合させて横架したリターンローラ７と、ガイドレールの一端に押し戻し終了時のスライダの一端が係合関係になるように設けた保持手段Ｃと、スライダの他端側に押し戻した前記スライダの引き出しを阻止するように設けた拘束手段Ｄとからなる。【選択図】図１
0003200231.tif 000002
【実用新案登録請求の範囲】
【請求項１】
ベルトコンベヤにおけるリターン側ベルトの下側で、上記ベルトの走行方向に対し直角に横切るように設けたガイドレールと、このガイドレールをガイドとして上記ベルトの幅方向にスライドするように設けたスライダと、このスライダの両端部から起立させて設けたリターンスタンドと、この両リターンスタンドの上端に支軸の両端を係合させて横架したリターンローラと、上記ガイドレールの一端に押し戻し終了時の上記スライダの一端が係合関係になるように設けた保持手段と、上記スライダの他端側に押し戻した前記スライダの引き出しを阻止するように設けた拘束手段とからなるベルトコンベヤのリターンローラ。
【考案の詳細な説明】
【技術分野】
【０００１】
この考案は、ベルトコンベヤにおけるリターンローラに関する。
【背景技術】
【０００２】
ベルトコンベヤは、周知のように、ヘッドプーリとテールプーリとに無端状のベルトをかけ渡し、ベルトのキャリア側裏面は、キャリアローラで支承され、ベルトのリターン側表面は、リターンローラで支承されている。
【０００３】
そして、キャリアローラ及びリターンローラは、スムーズな回転を阻害する故障の発生にともないその都度取り替えを行うことになる。
【０００４】
そこで、容易に取り替えができるようにした方式として、キャリア側にあっては、例えば特許文献１、２及び３が提案されているが、リターン側にあっては、特許文献４がある。
【先行技術文献】
【特許文献】
【０００５】
【特許文献１】実開平０６−０４９４１２号公報
【特許文献２】実開平０６−０８０７２６号公報
【特許文献３】特開平０８−１５１１１４号公報
【特許文献４】特開平０９−２７８１５０号公報
【考案の概要】
【考案が解決しようとする課題】
【０００６】
ところで、特許文献１、２及び３の方式は、キャリア側ローラの構成であって、リターン側ローラに応用することができない。
【０００７】
特許文献４の構成は、上下に二本のリターンローラを配置し、上下のリターンローラを入れ替える方式である。
【０００８】
しかしながら、（故障などによる）入れ替える迄の下側のリターンローラは、待機状態にあるので、待機中にベルトの表面に付着している粉粒体の落下物がリターンローラの表面に落下して付着する。
【０００９】
この落下付着物は、リターンローラの上周面のみになるので、リターンローラの周面一部のみに固着した付着物により走行するベルトが波動し、この波動にともないリターンローラの支軸の軸承部に衝撃が発生して、軸承部に故障が発生する。
そこで、この考案は、上述の問題を解消したリターンローラを提供することにある。
【課題を解決するための手段】
【００１０】
上記の課題を解決するために、この考案は、ベルトコンベヤにおけるリターン側ベルトの下側で、上記ベルトの走行方向に対し直角に横切るように設けたガイドレールと、このガイドレールをガイドとして上記ベルトの幅方向にスライドするように設けたスライダと、このスライダの両端部から起立させて設けたリターンスタンドと、この両リターンスタンドの上端に支軸の両端を係合させて横架したリターンローラと、上記ガイドレールの一端に押し戻し終了時の上記スライダの一端が係合関係になるように設けた保持手段と、上記スライダの他端側に押し戻した前記スライダの引き出しを阻止するように設けた拘束手段とからなる構成を採用する。
【考案の効果】
【００１１】
以上のように、この考案のベルトコンベヤのリターンローラによれば、拘束手段による拘束を解除してスライダを引き出すことによりリターンローラも共に引き出すことができるので、リターンローラの取り替え作業が極めて容易に行うことができ、リターンローラの取り替え後にスライダを押し戻して、拘束手段による拘束によりスライダの引き出しを阻止した際、保持手段とスライダの一端とが係合関係になるので、ガイドレールの上に安定よくスライダを静止させることもできる。  
【図面の簡単な説明】
【００１２】
【図１】この考案の実施の形態を示す正面図である。
【図２】同上の側面図である。
【図３】同一部切欠正面図である。
【図４】同一部切欠側面図である。
【図５】同縦断側面図である。
【図６】引き出した状態を示す一部切欠正面図である。
【考案を実施するための形態】
【００１３】
この考案の実施の形態を添付図面に基づいて説明する。
図１から図５に示すＡは、ベルトコンベヤである。
【００１４】
上記のベルトコンベヤＡは、周知のようにヘッドプーリとテールプーリ（図示省略）とに無端状のベルト１をかけ渡して構成され、ベルト１のキャリア側裏面（図示下側面）は、前後に並列するように配置したキャリアローラ２で支承されている。
【００１５】
また、ベルト１のリターン側表面（図示下側面）には、ベルト１の走行方向に対し直角に横切ると共に、前後に所定の間隔を存して並列するガイドレール３が設けてある。
【００１６】
さらに、ガイドレール３をガイドとしてベルト１の幅方向にスライドするスライダ４を設ける。
【００１７】
上記ガイドレール３は、図示の場合アングル材を用い、稜線が上側（上向き）になるようにコンベヤＡの両側フレーム５に上端を取り付けた支持金具６の下端に両端を（溶接ボルト止めなどにより）固着し、スライダ４は、アングル材を用いて、ガイドレール３の上側に重なるように載置したが、限定されず、また鋼材以外に硬質合成樹脂製などを使用してもよい。要するに、ガイドレール３をガイドとしてスライダ４がスライドできるようになっている。
【００１８】
なお、図４、５、６に示すようにガイドレール３とスライダ４との間に滑走性にすぐれたマットなどの介在物Ｂ（ガイドレール３かスライダ４の片方に接着材などを介して取り付ける）を設けておくと、スライダ４のスムーズなスライドを保障することができる。
【００１９】
そして、上記スライダ４には、交換（取り替え）可能にリターンローラ７が設けてある。
【００２０】
上記のリターンローラ７の交換可能な支持方式は、周知のようにスライダ４の両端部から起立するリターンスタンド８の上端面から下方に向く切欠き９にリターンローラ７の支軸１０の両端部外周面対向位置に設けてある溝１１をかみ合い状に落とし込んで係合させることで、定位置に、かつ支軸１０を不回転状態に支持させるようにしてある。
【００２１】
また、ガイドレール３の一端には、押し戻し終了時のスライダ４の一端が係合関係になってベルト１の長手方向や上下の移動を止める保持手段Ｃが設けてある。
【００２２】
上記の保持手段Ｃは、図示の場合ガイドレール３の一端上側にアングル製や板片の抱き込み片１２をスライダ４の一端側が嵌入する間隙を設けて取り付けることで構成したが、その他の方式を採用してもよい。
【００２３】
さらに、スライダ４の他端側には、押し戻したスライダ４の一端と保持手段Ｃとの係合状況下での上記スライダ４の引き出しを阻止する拘束手段Ｄが設けてある。
【００２４】
上記の拘束手段Ｄは、図示の場合、支持金具６に引き出しにともないスライダ４とリターンローラ７とが通過する窓１３を設け、スライダ４の他端にスライダ４の押し戻し終了時に窓１３を閉鎖する蓋１４を設け、スライダ４の押し戻し終了後にビス１５を介し支持金具６に蓋１４を固定することで、スライダ４の引き出し方向のスライドを阻止するようにしたが、限定されず、他の構成を採用することもある。要するに、拘束手段Ｄによりスライダ４の引き出しを阻止する。
【００２５】
なお、図示のように蓋１４に把手１６を設けておくと、スライダ４の引き出しと押し戻し操作が容易になる。
【００２６】
また、図示の場合スライダ４に１本のリターンローラを支持させたが、例えばスライダ４に複数本並設することもできる。
【００２７】
図中２１はキャリアローラ２の支持スタンドで、このスタンド２１は、フレーム５上に据え付けたバー材２２の上に起立させてある。２３はビス１５をねじ込むネジである。
【００２８】
上記のように構成すると、拘束手段による拘束を解除してスライダ４をガイドレール３をガイドとして引き出すと、スライダ４と共にスライダ４上のリターンローラ７もベルトコンベヤＡの側方に引き出されるので、引き出されたリターンローラ７の取り外しにともなう回収、新しいリターンローラの交換が極めて容易に、かつ危険を伴うことなく安全に行うことができる。
しかも、その交換作業が少人数で短時間にスムーズに行うことができる。
【００２９】
勿論、大がかりな足場などが不要になると共に、少人数での交換が可能なため、費用の低減化をはかると共に、短時間で運転の再開も可能になる以外に、交換にともなう落下事故などもなくすることができる。
【００３０】
また、交換後にスライダ４と共に、リターンローラ７を押し戻し、押し戻しにともない保持手段Ｃとスライダ４の一端側とを係合関係にし、拘束手段Ｄによりスライダ４のガイドレール３に対する移動を止めるので、リターンローラ７の安定した定位置での回転を保障することもできる。
【符号の説明】
【００３１】
Ａ  ベルトコンベヤ
Ｂ  介在物
Ｃ  保持手段
Ｄ  拘束手段
１  ベルト
２  キャリアローラ
３  ガイドレール
４  スライダ
５  フレーム
６  支持金具
７  リターンローラ
８  リターンスタンド
９  切欠き
１０  支軸
１１  溝
１２  抱き込み片
１３  窓
１４  蓋
１５  ビス
１６  把手
【図１】
0003200231.tif 000003
【図２】
0003200231.tif 000004
【図３】
0003200231.tif 000005
【図４】
0003200231.tif 000006
【図５】
0003200231.tif 000007
【図６】
0003200231.tif 000008